(57)【要約】【課題】カメラボディに着脱可能に装着される光学ユニットが重い場合でも、カメラボディに対する光学ユニットのガタ付きを防ぐことのできる、光学ユニット、カメラボディ、カメラボディと光学ユニットとの結合構造およびカメラを提供する。【解決手段】カメラボディ１０にレンズ鏡筒２０を着脱可能に装着するマウント機構３０は、ボディマウント４０と、レンズマウント５０とによって構成されている。レンズマウント５０は、レンズ鏡筒２０に対して相対回転可能且つ押さえスプリングでボディマウント４０を挟む方向に付勢されて設けられたレンズ側爪リングと、このレンズ側爪リングのレンズ鏡筒２０に対する回転を規制する回転ロック機構７０とを備え、回転ロック機構７０を解除操作することでボディマウント４０と係合した状態を保って相対回転可能となるように構成されている。【選択図】図１
2010271418.tif 000002
【特許請求の範囲】
【請求項１】
カメラボディに設けられたボディ側マウントに対して着脱可能に装着されるユニット側マウントを備えた光学ユニットであって、
前記ユニット側マウントは、
該ユニット側マウントを前記ボディ側マウントに装着する際の、前記カメラボディに対する前記光学ユニットの光軸方向における位置を規定する基準面を備えたマウント基部と、
前記マウント基部とは独立して前記光軸方向および該光軸周りに移動可能であり、且つ前記ユニット側マウントを前記ボディ側マウントに装着する際に、前記マウント基部が該ボディ側マウントに対して該光軸方向に進退不能となるよう、該ボディ側マウントに係合する爪部を備えた係合部材と、を有し、
前記係合部材と前記マウント基部は、前記爪部が前記ボディ側マウントに係合している状態を維持したままで、前記光軸回りに相対回転可能に構成されていることを特徴とする光学ユニット。
【請求項２】
請求項１に記載の光学ユニットであって、
前記ボディ側マウントを、前記光軸方向において前記基準面と前記爪部との間で挟持する方向に、前記マウント基部および前記係合部材に付勢力を付与する付勢手段と、を更に有することを特徴とする光学ユニット。
【請求項３】
請求項１又は２に記載の光学ユニットであって、
前記係合部材に係脱可能であり、該係合することによって前記係合部材と前記マウント基部との相対回転を規制する回転規制手段を更に有することを特徴とする光学ユニット。
【請求項４】
請求項１〜３の何れか一項に記載の光学ユニットであって、
前記マウント基部は、前記光学ユニットに対して相対回転不能に固定されていることを特徴とする光学ユニット。
【請求項５】
請求項１〜３の何れか一項に記載の光学ユニットであって、
前記マウント基部は、前記光学ユニットに対して相対回転可能に構成されていることを特徴とする光学ユニット。
【請求項６】
請求項１〜５の何れか一項に記載の光学ユニットであって、
前記係合部材は、前記カメラボディとの間で通信を行う通信端子を備えることを特徴とする光学ユニット。
【請求項７】
請求項１〜６の何れか一項に記載の光学ユニットであって、
前記係合部材は、前記カメラボディから給電を受ける電源供給用接点を備えること  を特徴とする光学ユニット。
【請求項８】
光学ユニットに設けられたユニット側マウントが着脱可能なボディ側マウントを備えるカメラボディであって、
前記ボディ側マウントは、
該ボディ側マウントに前記ユニット側マウントを装着する際の、前記カメラボディに対する前記光学ユニットの光軸方向における位置を規定する基準面と、
該光学ユニットが該基準面に対して前記光軸方向に進退不能となるように、該ユニット側マウントに係合する爪部と、を有し、
前記ボディ側マウントと前記カメラボディとは、前記爪部が前記ユニット側マウントに係合している状態を維持したままで、前記光軸回りに相対回転可能に設けられていることを特徴とするカメラボディ。
【請求項９】
前記ボディ側マウントに係脱可能であり、該係合することによって該ボディ側マウントと前記カメラボディとの相対回転を規制する回転規制手段を更に有することを特徴とする請求項８に記載のカメラボディ。
【請求項１０】
カメラボディに設けられたボディ側マウントと、光学ユニットに設けられ前記ボディ側マウントに着脱可能に装着されるユニット側マウントとを有し、光学ユニットとカメラボディとを着脱可能に結合する結合構造であって、
前記ユニット側マウントは、
該ユニット側マウントを前記ボディ側マウントに装着する際の、前記カメラボディに対する前記光学ユニットの光軸方向における位置を規定する基準面を備えたマウント基部と、前記マウント基部とは独立して前記光軸方向および該光軸周りに移動可能であり、且つ前記ユニット側マウントを前記ボディ側マウントに装着する際に、前記マウント基部が該ボディ側マウントに対して該光軸方向に進退不能となるよう、該ボディ側マウントに係合する爪部を備えた係合部材と、を有し、前記係合部材と前記マウント基部は、前記爪部が前記ボディ側マウントに係合している状態を維持したままで、前記光軸回りに相対回転可能に構成されていることを特徴とする結合構造。
【請求項１１】
カメラボディに設けられたボディ側マウントと、光学ユニットに設けられ前記ボディ側マウントに着脱可能に装着されるユニット側マウントとを有し、光学ユニットとカメラボディとを着脱可能に結合する結合構造であって、
前記ユニット側マウントは、
該ユニット側マウントを前記ボディ側マウントに装着する際の、前記カメラボディに対する前記光学ユニットの光軸方向における位置を規定する基準面を備えたマウント基部と、前記ユニット側マウントを前記ボディ側マウントに装着する際に、前記マウント基部が該ボディ側マウントに対して該光軸方向に進退不能となるよう、該ボディ側マウントに係合する爪部を備えた係合部材と、を有し、
前記ボディ側マウントは、
該ボディ側マウントに前記ユニット側マウントを装着する際の、前記カメラボディに対する前記光学ユニットの光軸方向における位置を規定する基準面と、該光学ユニットが該基準面に対して前記光軸方向に進退不能となるように、該ユニット側マウントに係合する爪部と、を有し、
前記ボディ側マウントと前記カメラボディとは、前記爪部が前記ユニット側マウントに係合している状態を維持したままで、前記光軸回りに相対回転可能に設けられていることを特徴とする結合構造。
【請求項１２】
請求項７又は８に記載の結合構造によって着脱可能に結合する光学ユニットとカメラボディとを備えるカメラ。
【発明の詳細な説明】
【技術分野】
【０００１】
本発明は、カメラボディに対して着脱可能に結合される光学ユニット、光学ユニットが着脱可能に装着されるカメラボディ、カメラボディと光学ユニットとを着脱可能に結合する結合構造、および、カメラボディとレンズ鏡筒とを着脱可能に結合するマウントを備えるカメラに関する。
【背景技術】
【０００２】
カメラボディに対してレンズ鏡筒等の光学ユニットが着脱可能に構成されたカメラがある。カメラボディに対してレンズ鏡筒を着脱可能に結合する構成としては、いわゆるバヨネットマウントと呼ばれる結合構造が一般的に用いられている。
バヨネットマウント方式では、レンズマウントの係合爪とカメラマウントの係合爪との間にバネ部材が介在するようになっており、一般的なカメラシステム（レンズ鏡筒とカメラボディとの組合せ）では、カメラボディ側のマウントの方にこのバネ部材が設けられているが、このバネ部材をレンズ側のマウントに備えるものも例えば特許文献１で知られている。
【０００３】
従来のバヨネットマウント方式のカメラシステム（レンズ鏡筒とカメラボディとの組合せ）では、レンズ鏡筒とカメラボディは、その両者間の装着状態（締結状態）を解除しなければ、両者の結合状態を維持したままで両者を相対的に回転させることはできない。このため例えば、カメラボディに比して非常に大きな撮影レンズ（レンズ鏡筒上に三脚座を持つレンズ）をカメラボディに装着し、且つレンズ鏡筒の三脚座を三脚に固定する撮影の場合において、縦位置撮影と横位置撮影とを切り換えるには、レンズ鏡筒の三脚座とレンズ鏡筒自身とを相対回転可能な状態にした上で（レンズ三脚座とレンズ鏡筒自身との間の締結状態を緩めて）、レンズ鏡筒側を回転させるようにしていた。
【先行技術文献】
【特許文献】
【０００４】
【特許文献１】特開２０００−８９３３２号公報
【発明の概要】
【発明が解決しようとする課題】
【０００５】
しかしながら、上述のようにレンズ鏡筒側を回転させて縦位置撮影と横位置撮影の切り換えを行おうとすると、大きな撮影レンズの場合には重量もそれなりにあり、非常に回転操作しづらいという欠点がある。またレンズ鏡筒の表面上に指標などの表示が設けられている場合（横位置撮影状態のときに視認し易い位置に設けられている表示の場合）には、レンズ鏡筒が回転することによってそれら表示が視認しにくい位置に移動することになり、使用者にとって使い勝手が悪くなる。
【０００６】
本発明の課題は、カメラボディに大きな撮影レンズ鏡筒を装着している場合であっても、縦位置撮影と横位置撮影の切り換えが容易に行えることができ、且つ使用者の使い勝手のよいカメラシステムを提供することである。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、カメラボディ（１０）に設けられたボディ側マウント（４０）に対して着脱可能に装着されるユニット側マウント（５０，２５０）を備えた光学ユニット（２０，２２０）であって、前記ユニット側マウント（５０，２５０）は、該ユニット側マウント（５０，２５０）を前記ボディ側マウント（４０，２４０）に装着する際の、前記カメラボディ（１０，２１０）に対する前記光学ユニット（２０，２２０）の光軸（ＯＡ）方向における位置を規定する基準面（５１Ｆ）を備えたマウント基部（５１，２５１）と、前記マウント基部（５１，２５１）とは独立して前記光軸（ＯＡ）方向および該光軸（ＯＡ）周りに移動可能であり、且つ前記ユニット側マウント（５０，２５０）を前記ボディ側マウント（４０，２４０）に装着する際に、前記マウント基部（５１）が該ボディ側マウント（４０，２４０）に対して該光軸（ＯＡ）方向に進退不能となるよう、該ボディ側マウント（４０，２４０）に係合する爪部（５３）を備えた係合部材（５２）と、を有し、前記係合部材（５２）と前記マウント基部（５１）は、前記爪部（５３）が前記ボディ側マウント（４０，２４０）に係合している状態を維持したままで、前記光軸（ＯＡ）回りに相対回転可能に構成されていることを特徴とする光学ユニット（２０，２２０）である。
請求項２に記載の発明は、請求項１に記載の光学ユニット（２０，２２０）であって、前記ボディ側マウント（４０，２４０）を、前記光軸（ＯＡ）方向において前記基準面（５１Ｆ）と前記爪部（５３）との間で挟持する方向に、前記マウント基部（５１，１５１）および前記係合部材（５２）に付勢力を付与する付勢手段（５６）と、を更に有することを特徴とする光学ユニット（２０，２２０）である。
請求項３に記載の発明は、請求項１又は２に記載の光学ユニット（２０）であって、前記係合部材（５２）に係脱可能であり、該係合することによって前記係合部材（５２）と前記マウント基部（５１）との相対回転を規制する回転規制手段（７０）を更に有することを特徴とする光学ユニット（２０）である。
請求項４に記載の発明は、請求項１〜３の何れか一項に記載の光学ユニット（２０）であって、前記マウント基部（５１）は、前記光学ユニット（２０）に対して相対回転不能に固定されていることを特徴とする光学ユニット（２０）である。
請求項５に記載の発明は、請求項１〜３の何れか一項に記載の光学ユニット（２２０）であって、前記マウント基部（２５１）は、前記光学ユニット（２２０）に対して相対回転可能に構成されていることを特徴とする光学ユニット（２２０）である。
請求項６に記載の発明は、請求項１〜５の何れか一項に記載の光学ユニット（２０，２２０）であって、前記係合部材（５２）は、前記カメラボディ（１０，２１０）との間で通信を行う通信端子（５７Ｂ）を備えることを特徴とする光学ユニット（２０，２２０）である。
請求項７に記載の発明は、請求項１〜６の何れか一項に記載の光学ユニット（２０，２２０）であって、前記係合部材（５２）は、前記カメラボディ（１０）から給電を受ける電源供給用接点（５７Ｂ）を備えることを特徴とする光学ユニット（２０，２２０）である。
請求項８に記載の発明は、光学ユニット（１２０）に設けられたユニット側マウント（１５０）が着脱可能なボディ側マウント（１４０）を備えるカメラボディ（１１０）であって、前記ボディ側マウント（１４０）は、該ボディ側マウント（１４０）に前記ユニット側マウント（１５０）を装着する際の、前記カメラボディ（１１０）に対する前記光学ユニット（１２０）の光軸（ＯＡ）方向における位置を規定する基準面（４１Ｆ）と、該光学ユニット（１２０）が該基準面（４１Ｆ）に対して前記光軸（ＯＡ）方向に進退不能となるように、該ユニット側マウント（１５０）に係合する爪部（４２）と、を有し、前記ボディ側マウント（１４０）と前記カメラボディ（１１０）とは、前記爪部（４２）が前記ユニット側マウント（１５０）に係合している状態を維持したままで、前記光軸（ＯＡ）回りに相対回転可能に設けられていることを特徴とするカメラボディ（１１０）である。
請求項９に記載の発明は、請求項８に記載のカメラボディ（１１０）であって、前記ボディ側マウント（１４０）に係脱可能であり、該係合することによって該ボディ側マウント（１４０）と前記カメラボディ（１１０）との相対回転を規制する回転規制手段（１７０）を更に有することを特徴とする請求項８に記載のカメラボディ（１１０）である。
請求項１０に記載の発明は、カメラボディ（１０，２１０）に設けられたボディ側マウント（４０，２４０）と、光学ユニット（２０，２２０）に設けられ前記ボディ側マウント（４０，２４０）に着脱可能に装着されるユニット側マウント（５０，２５０）とを有し、前記カメラボディ（１０，２１０）と前記光学ユニット（２０，２２０）とを着脱可能に結合する結合構造（３０，２３０）であって、前記ユニット側マウント（５０，２５０）は、該ユニット側マウント（５０，２５０）を前記ボディ側マウント（４０，２４０）に装着する際の、前記カメラボディ（４０，２４０）に対する前記光学ユニット（２０，２２０）の光軸（ＯＡ）方向における位置を規定する基準面（５１Ｆ）を備えたマウント基部（５１，２５１）と、前記マウント基部（５１，２５１）とは独立して前記光軸（ＯＡ）方向および該光軸（ＯＡ）周りに移動可能であり、且つ前記ユニット側マウント（５０，２５０）を前記ボディ側マウント（４０，２４０）に装着する際に、前記マウント基部（５１，２５１）が該ボディ側マウント（４０，２４０）に対して該光軸（ＯＡ）方向に進退不能となるよう、該ボディ側マウント（４０）に係合する爪部（５３）を備えた係合部材（５２）と、を有し、前記係合部材（５２）と前記マウント基部（５１，２５１）は、前記爪部（５３）が前記ボディ側マウント（４０，２４０）に係合している状態を維持したままで、前記光軸（ＯＡ）回りに相対回転可能に構成されていることを特徴とする結合構造（３０，２３０）である。
請求項１１に記載の発明は、カメラボディ（１１０）に設けられたボディ側マウント（１４０）と、光学ユニット（１２０）に設けられ前記ボディ側マウント（１４０）に着脱可能に装着されるユニット側マウント（１５０）とを有し、前記カメラボディ（１１０）と前記光学ユニット（１２０）とを着脱可能に結合する結合構造（１３０）であって、前記ユニット側マウント（１５０）は、該ユニット側マウント（１５０）を前記ボディ側マウント（１４０）に装着する際の、前記カメラボディ（１１０）に対する前記光学ユニット（１２０）の光軸（ＯＡ）方向における位置を規定する基準面（（５１Ｆ））を備えたマウント基部（５１）と、前記ユニット側マウント（１５０）を前記ボディ側マウント（１４０）に装着する際に、前記マウント基部（５１）が該ボディ側マウント（１４０）に対して該光軸（ＯＡ）方向に進退不能となるよう、該ボディ側マウント（１４０）に係合する爪部（５３）を備えた係合部材（５２）と、を有し、前記ボディ側マウント（１４０）は、該ボディ側マウント（１４０）に前記ユニット側マウント（１５０）を装着する際の、前記カメラボディ（１１０）に対する前記光学ユニット（１２０）の光軸（ＯＡ）方向における位置を規定する基準面（４１Ｆ）と、該光学ユニット（１２０）が該基準面（４１Ｆ）に対して前記光軸（ＯＡ）方向に進退不能となるように、該ユニット側マウント（１５０）に係合する爪部（４２）と、を有し、前記ボディ側マウント（１４０）と前記カメラボディ（１１０）とは、前記爪部（４２）が前記ユニット側マウント（１５０）に係合している状態を維持したままで、前記光軸（ＯＡ）回りに相対回転可能に設けられていることを特徴とする結合構造（１３０）である。
請求項１２に記載の発明は、請求項７又は８に記載の結合構造（３０，１３０，２３０）によって着脱可能に結合する光学ユニット（２０，１２０，２２０）とカメラボディ（１０，１１０，２１０）とを備えるカメラ（１，１０１，２０１）である。
【０００９】
なお、符号を付して説明した構成は、適宜改良してもよく、また、少なくとも一部を他の構成物に代替してもよい。
【発明の効果】
【００１０】
本発明によれば、カメラボディに着脱可能に装着される光学ユニットが重い場合でも、カメラボディに対する光学ユニットのガタ付きを防ぐことのできる、光学ユニット、カメラボディ、カメラボディと光学ユニットとの結合構造およびカメラを提供できる。
【図面の簡単な説明】
【００１１】
【図１】本発明の一実施形態であるカメラの光軸位置における縦断面図である。
【図２】カメラの光軸位置における横断面図である。
【図３】レンズ鏡筒を外したカメラボディの正面図であってボディマウントを示す図である。
【図４】レンズ鏡筒の背面図であってレンズマウントを示す図である。
【図５】図１のＡ−Ａ断面図である。
【図６】図１のＢ部拡大図である。
【図７】図１のＣ部拡大図である。
【図８】本発明の第２実施形態であるカメラの光軸位置における縦断面図である。
【図９】カメラの光軸ＯＡ位置における横断面図である。
【図１０】レンズ鏡筒を外したカメラボディの正面図であってボディマウントを示す図である。
【図１１】レンズ鏡筒の背面図であってレンズマウントを示す図である。
【図１２】図８のＤ部拡大図である。
【図１３】図８のＥ部拡大図である。
【図１４】図９のＦ部拡大図である。
【図１５】図９のＧ部拡大図である。
【図１６】本発明の第３実施形態であるカメラの光軸位置における縦断面図である。
【図１７】カメラの光軸位置における横断面図である。
【図１８】図１６のＨ−Ｈ断面図である。
【図１９】図１６のＪ部拡大図である。
【発明を実施するための形態】
【００１２】
以下、図面等を参照して、本発明の実施形態について説明する。
（第１実施形態）
図１は、本発明の一実施形態であるカメラ１の光軸ＯＡ位置における縦（垂直）断面図である。図２は、カメラ１の光軸ＯＡ位置における横（水平）断面図である。図３は、レンズ鏡筒２０を外したカメラボディ１０の正面図であってボディマウント４０を示す図である。図４は、レンズ鏡筒２０の背面図であってレンズマウント５０を示す図である。図５は、図１のＡ−Ａ断面図である。図６は、図１のＢ部拡大図である。図７は、図１のＣ部拡大図である。
【００１３】
なお、各図には、説明と理解を容易にするために、ＸＹＺ直交座標系を設けた。この座標系では、撮影者が光軸ＯＡを水平として横長の画像を撮影する場合のカメラの位置（以下、正位置という）において被写体側から見て右側に向かう方向をＸ軸プラス（＋）方向、正位置において上側に向かう方向をＹ軸プラス（＋）方向、正位置において被写体に向かう方向をＺ軸プラス（＋）方向とする。
また、カメラボディ１０の被写体側の面を前面、これと反対側の撮影者側の面を背面と、それぞれ称する。さらに、前面側から見て光軸ＯＡを中心とする周方向を、Ｘ軸プラス（＋）方向を０°として、反時計回りに角度で表す。たとえば、Ｙ軸プラス（＋）方向は９０°とする。
【００１４】
カメラ１は、レンズ交換式のデジタルカメラであって、カメラボディ１０と、該カメラボディ１０に対して着脱可能なレンズ鏡筒２０と、により構成されている。
カメラボディ１０とレンズ鏡筒２０とは、マウント機構３０によって光軸ＯＡを一致させた状態で着脱可能に結合されるようになっている。これにより、撮影対象に応じて焦点距離や機能等の異なる種々のレンズ鏡筒２０をカメラボディ１０に換装して撮影することができる。
【００１５】
マウント機構３０は、後に詳述するが、カメラボディ１０に設けられたボディマウント４０と、レンズ鏡筒２０に設けられたレンズマウント５０と、によって構成されている。
【００１６】
レンズ鏡筒２０は、鏡筒筐体２１の内部に、詳細は示さないが、移動操作されることで焦点調整を行う合焦レンズ群を含む複数のレンズ群を備えている。また、レンズ鏡筒２０は、合焦レンズ群を移動操作する駆動手段（合焦モータ）を備えている。そして、装着されたカメラボディ１０からの制御信号によって合焦レンズ群が移動制御され、合焦位置の調整が行われるようになっている。この合焦に関する情報交換およびカメラボディ１０の電源から駆動手段への電力の供給等は、マウント機構３０を介して行われる。
【００１７】
カメラボディ１０は、詳細は図示しないが、当該カメラボディ１０の基本骨格を構成する部材であるカメラ構造体１１に、撮像素子１３を備えている。カメラ構造体１１の周囲は、カメラ外装１２によって覆われている。カメラ外装１２の所定位置には、図示しないが、シャッターボタン、ファインダー部、表示装置等が配設されている。
【００１８】
カメラ構造体１１は、略円筒状の本体部１１Ａの前面部に、円環状のマウント装着部１１Ｂを一体に備えている。本体部１１Ａの背面側には、固定基板１４を介して撮像素子１３が固定されている。また、マウント装着部１１Ｂには、ボディマウント４０のボディフランジ４１が装着されている。
【００１９】
撮像素子１３は、被写体光を電気信号に変換するＣＣＤ等によって構成されている。撮像素子１３は、その受光面を光軸ＯＡに対して直角として、カメラ構造体１１に装着されている。
【００２０】
カメラ１は、カメラボディ１０にレンズ鏡筒２０がマウント機構３０を介して装着されて、撮影可能な状態となる。そして、図示しないシャッターボタンが押圧操作されると、レンズ鏡筒２０によって撮像素子１３に結像された被写体像を、撮像素子１３が電気信号に変換する。撮像素子１３によって光電変換された撮像データは、当該カメラ１の図示しない制御装置によって画像データとして信号処理される。信号処理された画像データは図示しない表示装置に表示され、また、図示しない記録装置に記録される。これによって、撮影が行われるものである。
【００２１】
ボディマウント４０は、ボディフランジ４１、マウントロック機構６０およびボディ側接点部４４等を備えて構成されている。
ボディフランジ４１は、概略形状が、所定厚さで所定の外径および内径の円環状である。このボディフランジ４１は、カメラ構造体１１のマウント装着部１１Ｂに、止めネジ４５によって固定されている。
【００２２】
ボディフランジ４１の前面側の面は、撮像素子１３の撮像面と所定の距離に設定されたボディ側フランジ面４１Ｆとなっている。このボディ側フランジ面４１Ｆは、レンズ鏡筒２０の光軸ＯＡ方向（Ｚ軸方向）における位置を規定する基準となる面である。また、ボディフランジ４１の内周は、所定精度の径の嵌合内面４１Ｂとなっている。この嵌合内面４１Ｂは、レンズ鏡筒２０の光軸ＯＡと直交する方向（Ｘ軸およびＹ軸方向）の位置を規定する。
【００２３】
ボディフランジ４１の嵌合内面４１Ｂには、ボディ側係合爪４２が突設されている。ボディ側係合爪４２は、ボディフランジ４１の周方向に等間隔で３カ所設けられ、それぞれ周方向に略５５°の角度範囲に形成されている。すなわち、図３に示すように、−２５°（３３５°）〜３０°の範囲に形成されたボディ側係合爪４２Ａと、９５°〜１５０°の範囲に形成されたボディ側係合爪４２Ｂおよび、２１５°〜２７０°の範囲に形成されたボディ側係合爪４２Ｃである。これらボディ側係合爪４２の間の６５°の領域には、後述するレンズフランジ５１のレンズ側係合爪５３が嵌り込むようになっている。
【００２４】
ボディ側係合爪４２は、光軸ＯＡ方向に所定厚さの板状で、内周縁はボディ側フランジ面４１Ｆの内周面（嵌合内面４１Ｂ）と同芯で所定量小さい半径の円弧状となっている。ボディ側係合爪４２は、ボディ側フランジ面４１Ｆから背面側に所定量カメラボディ１０に設けられたボディマウント４０と、レンズ鏡筒２０に設けられたレンズマウント５０とによって構成されている。引っ込んだ位置に、嵌合内面４１Ｂから突設されている。従って、嵌合内面４１Ｂは、ボディ側係合爪４２の形成部位においても周方向に連続しているものである。
【００２５】
マウントロック機構６０は、図３および図５に示すように、カメラボディ１０における０°の位置に配設されている。マウントロック機構６０は、マウントロックレバー６１と、このマウントロックレバー６１を移動付勢するマウントロックスプリング６２とによって構成されている。
マウントロックレバー６１は、一方の端にマウント解除操作ボタン６１Ｂを備え、他方の端にマウントロックピン６１Ｐを備えている。
【００２６】
マウントロックレバー６１は、図２に示すように、カメラ構造体１１のマウント装着部１１Ｂを径方向内外に貫通し、Ｚ軸方向に所定量移動可能に設けられている。マウント解除操作ボタン６１Ｂは、カメラ外装１２に形成された凹部１２Ａに位置している。また、マウントロックピン６１Ｐは、ボディ側係合爪４２の内周面より内周側に位置し、前面側に向かって突出している。
マウントロックスプリング６２は、マウントロックレバー６１を、前面側（Ｚ軸＋方向）に向けて付勢している。
【００２７】
上記のように構成されたマウントロック機構６０は、自由状態では、マウントロックレバー６１がマウントロックスプリング６２の付勢力でその移動範囲内における前面側に位置し、マウントロックピン６１Ｐは前面側の所定位置に突出する。この突出状態におけるマウントロックピン６１Ｐが、後述するレンズマウント５０のマウントロック孔５２Ｂに嵌合し、レンズマウント５０の周方向（回転方向）における位置を規定する（すなわちマウントロック状態となる）ようになっている。
【００２８】
そして、マウントロック状態から、マウント解除操作ボタン６１Ｂをマウントロックスプリング６２の付勢力に抗してカメラボディ１０側（Ｚ軸−方向）に押圧操作すると、マウントロックピン６１Ｐは背面側に所定量引っ込む。これにより、マウントロックピン６１Ｐがマウントロック孔５２Ｂから抜け出て、マウントロック状態を解除（解除操作）することができるようになっている。
【００２９】
ボディ側接点部４４は、図３および図５に示すように、カメラボディ１０における２７０°の位置に配設されている。ボディ側接点部４４は、周方向に所定間隔で配置された複数のボディ側接点４４Ａを備えている。
ボディ側接点４４Ａは、ボディフランジ４１のボディ側係合爪４２より内周側の、カメラ構造体１１のマウント装着部１１Ｂに設けられている。ボディ側接点４４Ａは、図示しないスプリングによって、前面側に突出付勢されている。これらボディ側接点４４Ａは、レンズ鏡筒２０から当該レンズ鏡筒２０の固有情報およびフィードバック制御情報をカメラボディ１０に伝達すると共に、カメラボディ１０からレンズ鏡筒２０に対して絞り制御情報、合焦制御情報および電力の供給等を行うものである。
【００３０】
レンズマウント５０は、レンズフランジ５１と、レンズ側爪リング５２と、押さえスプリング５６と、回転ロック機構７０およびレンズ側接点５７等により構成されている。
【００３１】
レンズフランジ５１は、概略形状がボディフランジ４１と対応する径の円環状で、中央には所定外径の嵌合環部５１Ａが背面側に所定高さで突出形成されている。嵌合環部５１Ａの内周側には、さらに中央環部５１Ｂが突設されている。
レンズフランジ５１は、レンズ鏡筒２０の鏡筒筐体２１における背面側の端部に、止めネジ５８によって固定されている。
レンズフランジ５１の背面側には、レンズ側フランジ面５１Ｆが形成されている。このレンズ側フランジ面５１Ｆは、ボディフランジ４１のボディ側フランジ面４１Ｆに密着し、当該レンズフランジ５１（レンズ鏡筒２０）のカメラボディ１０に対する光軸ＯＡ方向（Ｚ軸方向）における位置が規定される基準となる面である。
【００３２】
嵌合環部５１Ａは、ボディフランジ４１の嵌合内面４１Ｂに所定の公差で嵌合するように設定されている。この嵌合環部５１Ａがボディフランジ４１の嵌合内面４１Ｂに嵌合することにより、ボディフランジ４１に対する（すなわちカメラボディ１０に対する）光軸ＯＡと直交する方向（ＸおよびＹ軸方向）の位置が規定されるようになっている。
中央環部５１Ｂは、嵌合環部５１Ａより所定量小径で、嵌合環部５１Ａから所定高さに突設されている。中央環部５１Ｂの内周部は、後述するレンズ側爪リング５２が摺動回転可能に嵌合する所定の精度に形成されている。
【００３３】
レンズ側爪リング５２は、所定内外径の円筒状であって、その背面側の端縁にレンズ側係合爪５３を備えている。
レンズ側爪リング５２には、回転ロック孔５４が、内外を径方向に貫通して形成されている。回転ロック孔５４は、周方向に等間隔で４カ所配設されている。すなわち、図１および図２に示す通常状態において、０°の位置に配設された回転ロック孔５４Ａ、９０°の位置に配設された回転ロック孔５４Ｂ、１８０°の位置に配設された回転ロック孔５４Ｃ、および２７０°の位置に配設された回転ロック孔５４Ｄである。これらの回転ロック孔５４には、後述する回転ロック機構７０の回転ロックピン７１Ｐが嵌合するようになっている。
【００３４】
レンズ側係合爪５３は、レンズ側爪リング５２の端縁内周側に形成された所定幅の鍔部５２Ａの一部（所定角度範囲）を、ボディフランジ４１における３カ所のボディ側係合爪４２と略対応するように外周側に大径化した形状となっている。レンズ側爪リング５２の形成角度範囲は、略６０°となっている。すなわち、各レンズ側係合爪５３は、略−３０°（３３０°）〜略３０°の範囲に形成されたレンズ側係合爪５３Ａと、略９０°〜略１５０°の範囲に形成されたレンズ側係合爪５３Ｂおよび、略２１０°〜略２７０°の範囲に形成されたレンズ側係合爪５３Ｃである。
また、レンズ側係合爪５３Ａと対応する鍔部５２Ａの所定位置（０°の位置）には、ボディマウント４０におけるマウントロック機構６０のマウントロックピン６１Ｐが嵌合するマウントロック孔５２Ｂが形成されている。
【００３５】
レンズ側爪リング５２は、レンズ側係合爪５３を背面側として、レンズフランジ５１の中央環部５１Ｂの内周に摺動回転可能に嵌合している。
レンズ側爪リング５２の前面側の端面には、当該レンズ側爪リング５２のより大きい外径の止め環５５が固定されており、この止め環５５とレンズフランジ５１の背面側の端面との間に、押さえスプリング５６が介設されている。
【００３６】
押さえスプリング５６は、レンズ側爪リング５２に外挿可能に形成されたコイルスプリングである。押さえスプリング５６は、レンズ側爪リング５２を、レンズ側係合爪５３がレンズ側フランジ面５１Ｆに接近する側に付勢している。なお、押さえスプリング５６は、コイルスプリングに限らずウェーブワッシャーを用いても良い。
【００３７】
回転ロック機構７０は、レンズ鏡筒２０における９０°の位置に配設されている。回転ロック機構７０は、図６に示すように、回転ロックレバー７１と、この回転ロックレバー７１を移動付勢する回転ロックスプリング７２とによって構成されている。
回転ロックレバー７１は、Ｌ字状で、一方の端に回転操作ボタン７１Ｂを備え、他方の端に回転ロックピン７１Ｐを備えている。回転ロックレバー７１は、鏡筒筐体２１に、その内外を径方向に貫通し、径方向に所定量移動可能として設けられている。回転操作ボタン７１Ｂは、鏡筒筐体２１に形成された凹部２１Ａ内に位置している。回転ロックピン７１Ｐは、レンズ側爪リング５２の内側に位置し、外周側に突出している。
【００３８】
回転ロックスプリング７２は、回転ロックレバー７１を外周側に向けて付勢している。これにより、回転ロックピン７１Ｐが、レンズ側爪リング５２に形成された回転ロック孔５４に嵌合するようになっている。
【００３９】
上記のように構成された回転ロック機構７０は、回転ロックレバー７１の回転ロックピン７１Ｐが、レンズ側爪リング５２の回転ロック孔５４に嵌合することで、鏡筒筐体２１に対してレンズ側爪リング５２を相対回転不能とする。レンズ側爪リング５２の回転ロック孔５４は、前述したように周方向に９０°間隔で４カ所配設されており、従って、レンズ側爪リング５２は、回転ロック機構７０によって回転角度９０°毎に鏡筒筐体２１に対して固定され得るようになっている。図１および図２は、９０°の位置にある回転ロックピン７１Ｐが、レンズ側爪リング５２の回転ロック孔５４Ｂに嵌合した状態を示している。この状態が通常状態である。
【００４０】
鏡筒筐体２１に対するレンズ側爪リング５２の固定は、回転ロック機構７０の回転操作ボタン７１Ｂを、図１および図６中矢印で示すように押圧操作することによって解除（解除操作）され、レンズ側爪リング５２は鏡筒筐体２１に対して回転自在となる。
なお、鏡筒筐体２１に対するレンズ側爪リング５２の固定位置を規定する回転ロック孔５４の数および配設間隔（角度）は、上記例に限るものではなく、適宜設定可能なものである。
【００４１】
レンズ側接点部５７は、図４および図に示すように、レンズ側爪リング５２における２７０°の位置に配設されている。レンズ側爪リング５２の当該部位には、周方向に所定角度範囲の切り欠きが形成されており、この切り欠き部に、プラスチック等の絶縁体によって形成された接点基部５７Ａが固定されている。
この接点基部５７Ａの背面側の面に、周方向に所定間隔で複数の接点端子５７Ｂが配設されている。各接点端子５７Ｂは、レンズ鏡筒２０がカメラボディ１０に装着された状態において、ボディマウント４０における各ボディ側接点４４Ａと対応するように配設されている。
【００４２】
上記のように構成されたレンズマウント５０は、レンズ鏡筒２０（鏡筒筐体２１）に固定されたレンズフランジ５１に対して、レンズ側爪リング５２（レンズ側係合爪５３）が相対回転可能となっている。レンズ側爪リング５２の回転位置は、回転ロック機構７０によって角度９０°毎に固定可能となっている。
【００４３】
ここで、レンズ側爪リング５２は、そのマウントロック孔５２Ｂにマウントロック機構６０のマウントロックピン６１Ｐが嵌合することで、カメラボディ１０に固定されるようになっている。マウントロック孔５２Ｂは、一カ所のみ設けられており、従って、カメラボディ１０に対するレンズ側爪リング５２の周方向における固定位置は定まっている。つまり、レンズマウント５０は、レンズ側爪リング５２（レンズ側係合爪５３）がカメラボディ１０に対して常に一定の姿勢で固定され、このレンズ側爪リング５２（すなわちカメラボディ１０）に対して、レンズフランジ５１（すなわちレンズ鏡筒２０）が回転可能となる。カメラボディ１０に固定されたレンズ側爪リング５２に対するレンズ鏡筒２０の天地方向の関係は、前述したように、回転ロック機構７０の回転ロックピン７１Ｐが、レンズ側爪リング５２の回転ロック孔５４Ｂに嵌合した状態が通常状態である。レンズ鏡筒２０の表示および操作部の配置は、この通常状態において適切となるように設定されている。
【００４４】
つぎに、上記のようにボディマウント４０とレンズマウント５０とによって構成されたマウント機構３０の作用を、ボディマウント４０を備えるカメラボディ１０と、レンズマウント５０を備えるレンズ鏡筒２０の着脱に即して説明する。
すなわち、ボディマウント４０を備えるカメラボディ１０に、レンズマウント５０を備えるレンズ鏡筒２０を結合する際には、レンズマウント５０が通常状態にあるレンズ鏡筒２０を、装着状態に対して時計回りに６０°（−６０°）回転させた姿勢とし、レンズマウント５０をボディマウント４０に合致させる。この状態では、レンズマウント５０のレンズ側係合爪５３Ａは、ボディマウント４０のボディ側係合爪４２Ａとボディ側係合爪４２Ｂとの間の領域に合致する。また、他のレンズ側係合爪５３も、それぞれボディ側係合爪４２が形成されていない領域に合致する。これにより、ボディマウント４０の嵌合内面４１Ｂにレンズマウント５０の嵌合環部５１Ａが嵌合して、レンズマウント５０のレンズ側係合爪５３がボディフランジ４１に嵌り込み、レンズマウント５０のレンズ側フランジ面５１Ｆが、ボディマウント４０のボディ側フランジ面４１Ｆに当接する。
【００４５】
そして、レンズマウント５０のレンズ側フランジ面５１Ｆが、ボディマウント４０のボディ側フランジ面４１Ｆに当接した状態で、レンズ鏡筒２０を前面側から見て反時計回りに６０°回転操作する。これにより、レンズ側係合爪５３がボディ側係合爪４２の背面側に移動し、ボディ側係合爪４２に対して光軸ＯＡ方向（Ｚ軸方向）に係合した状態となる。また、レンズマウント５０のマウントロック孔５２Ｂに、マウントロック機構６０のマウントロックピン６１Ｐがマウントロックスプリング６２の付勢力で嵌入し、レンズマウント５０にレンズ側爪リング５２が相対回転不能に固定される。この状態において、レンズマウント５０に設けられた押さえスプリング５６の付勢力は、レンズ側フランジ面５１Ｆをボディ側フランジ面４１Ｆに押圧するように作用する。これにより、カメラボディ１０とレンズ鏡筒２０とが、光軸ＯＡが一致した状態で、ガタ付き抑えて相対回転不能に結合される。また、ボディ側接点部４４のボディ側接点４４Ａと、レンズ側接点部５７の接点端子５７Ｂとが合致して導通状態に接触する。
【００４６】
カメラボディ１０に対するレンズ鏡筒２０の結合を解除する際には、マウントロック機構６０のマウント解除操作ボタン６１Ｂを、背面側（図２中矢印で示す方向）に押圧して解除操作する。これにより、マウントロック機構６０のマウントロックピン６１Ｐが、レンズ側爪リング５２のマウントロック孔５２Ｂから抜け出て、レンズ側爪リング５２がボディマウント４０に対して相対回転可能となる。この状態で、レンズ鏡筒２０を前面側から見て時計回りに略６０°（＋６０°）回転操作する。その結果、レンズ側係合爪５３がボディ側係合爪４２の形成されていない領域に合致し、カメラボディ１０からレンズ鏡筒２０を取り外すことができる。
【００４７】
また、本構成のマウント機構３０では、カメラボディ１０にレンズ鏡筒２０が結合された状態において、結合状態を保ったままで、カメラボディ１０に対してレンズ鏡筒２０を任意の角度に回転させることができる。
すなわち、回転ロック機構７０を解除操作することで、ボディマウント４０に係合したレンズ側係合爪５３をそのままにして、レンズ鏡筒２０が回転可能となる。つまり、レンズ鏡筒２０は、カメラボディ１０に対して光軸ＯＡ方向（Ｚ軸方向）に移動不能に係合した状態で、回転のみ可能となる。このレンズ鏡筒２０が回転する際には、ボディ側フランジ面４１Ｆに対してレンズ側フランジ面５１Ｆが摺動する。レンズ側接点部５７は、レンズ側爪リング５２に構成されており、ボディ側接点部４４とレンズ側接点部５７との導通状態は、レンズ鏡筒２０（レンズフランジ５１）の回転とは無関係に保たれる。
【００４８】
レンズ鏡筒２０の回転は、前述したように、回転ロック機構７０（回転ロックピン７１Ｐ）が、レンズ側爪リング５２の周方向に４カ所配設された任意の回転ロック孔５４（５４Ａ〜５４Ｄ）と対応する位置において固定可能である。
【００４９】
以上、本第１実施形態によると、以下の効果を有する。
（１）本第１実施形態の構成では、レンズ鏡筒とカメラボディとの間の締結状態を緩めることなくレンズ鏡筒とカメラボディ１０とを相対回転させることが出来る。このため例えばレンズ鏡筒の三脚座が三脚に結合されている状態において、レンズ鏡筒と三脚との位置関係を変えることなく、カメラボディ１０をレンズ鏡筒２０に対して光軸ＯＡ回りに相対回転させて縦位置撮影／横位置撮影を切り換えることが出来る。このため大きな撮影レンズを装着している場合であっても、比較的軽いカメラボディ側の方を回転操作できるので縦位置・横位置撮影の切り替えを手軽且つ容易に行うことができる（縦横の構図変更を極めて簡単に行える）。またレンズ鏡筒側は位置変更がされないので、レンズ鏡筒２０の天地を実際の天地に一致させた状態が維持でき、結果としてレンズ鏡筒２０の表面上に設けられている表示の視認性や操作性の低下を防ぐことができる。
またカメラボディ１０の姿勢に拘わらず、レンズ鏡筒２０の天地を実際の天地に一致させることができる。たとえば、カメラボディ１０を三脚に固定して、雲台を傾けてカメラボディ１０を９０°横倒しの姿勢（縦位置撮影）で撮影する場合には、カメラボディに装着されているレンズ鏡筒２０を更に９０°逆方向に回転させることで、レンズ鏡筒２０の天地を実際の天地に一致させることが可能となる。その結果、レンズ鏡筒２０の表面上に設けられている表示の視認性や操作性の低下を防ぐことができる。
（２）本第１実施形態の構成では、カメラボディ１０とレンズ鏡筒２０とのガタ付き抑える押さえスプリング５６は、レンズマウント５０（すなわちレンズ鏡筒２０）に設けられている。このため、押さえスプリング５６の付勢力を、その設けられる個々のレンズ鏡筒２０の重量に応じたものとすることができる。つまり、重量が大きくガタ付きを生じ易いレンズ鏡筒２０の場合には、付勢力の大きい押さえスプリング５６を用いることでガタ付きを抑えることができる。一方、軽量のレンズ鏡筒２０の場合には、付勢力の小さい押さえスプリング５６を用いることで、レンズ鏡筒２０を着脱する際における操作力を小さくして着脱操作を容易とすることができる。
【００５０】
（３）従来周知のバヨネットマウント（カメラボディ側のマウントにバヨネットマウント方式におけるバネ部材を設けている場合）では、レンズマウントの係合爪とカメラマウントの係合爪との間にバネ部材が介在するために双方の係合爪が直接接触せず、このためバネ部材の付勢力以上の力がレンズ鏡筒に作用すると（例えば非常に重い撮影レンズユニットが）、レンズマウントの係合爪とカメラマウントの係合爪との間でガタ付きを生ずる虞があり、その結果、カメラボディに対して光学ユニットがガタ付いて光軸ズレを生じ、光学精度の低下を招来する虞がある。これに対して本第１実施形態の構成では、レンズマウント５０におけるレンズ側爪リング５２のレンズ側係合爪５３が、ボディマウント４０におけるボディ側係合爪４２に対して、バネ等を介在することなく直接当接して係合する。このため、係合精度と耐久性を高めることができると共に、操作感を向上できる。
【００５１】
（第２実施形態）
つぎに、図８〜図１５に示す本発明の第２実施形態を説明する。
図８は、本発明の第２実施形態であるカメラ１０１の光軸ＯＡ位置における縦（垂直）断面図である。図９は、カメラ１０１の光軸ＯＡ位置における横（水平）断面図である。図１０は、レンズ鏡筒１２０を外したカメラボディ１１０の正面図であってボディマウント１４０を示す図である。図１１は、レンズ鏡筒１２０の背面図であってレンズマウント１５０を示す図である。図１２は、図８のＤ部拡大図である。図１３は、図８のＥ部拡大図である。図１４は、図９のＦ部拡大図である。図１５は、図９のＧ部拡大図である。
なお、カメラ１０１の基本構成は前述の第１実施例の構成と同様であり、同一の構成要素には同符号を付して説明は省略する。
【００５２】
カメラ１０１は、カメラボディ１１０と、当該カメラボディ１１０に対してマウント機構１３０を介して着脱可能なレンズ鏡筒１２０と、から構成されている。
マウント機構１３０は、カメラボディ１１０に設けられたボディマウント１４０と、レンズ鏡筒１２０に設けられたレンズマウント１５０と、によって構成されている。
本第２実施形態では、カメラボディ１１０に設けられたボディマウント１４０のボディフランジ１４１が、カメラボディ１１０に対して回転可能に構成されている。そして、このボディフランジ１４１のカメラボディ１１０に対する回転によって、レンズ鏡筒１２０がカメラボディ１１０に対して回転可能となっている。
【００５３】
ボディマウント１４０は、ボディフランジ１４１、ボディ側回転ロック機構１７０、光通信受光部１４８および電源端子１４９等を備えている。
ボディフランジ１４１は、ボディ側フランジ面４１Ｆと、嵌合内面４１Ｂと、嵌合内面４１Ｂに突設されたボディ側係合爪４２と、嵌合円筒部１４１Ａを備えている。
ボディ側フランジ面４１Ｆには、周方向に一カ所、マウントロック孔１４１Ｂが設けられている。ボディフランジ１４１は、後に詳述するように光軸ＯＡを中心として回転可能に設けられているが、このマウントロック孔１４１Ｂが３００°に位置する状態が、ボディフランジ１４１の通常位置である。また、マウントロック孔１４１Ｂは、ボディマウント１４０をＺ軸方向に貫通している。
【００５４】
ボディフランジ１４１は、嵌合円筒部１４１Ａがカメラ構造体１１のマウント装着部１１Ｂに回転可能に嵌合している。嵌合円筒部１４１Ａの外周面には周方向に連続するガイド溝１４１Ｃが形成されており、このガイド溝１４１Ｃに、マウント装着部１１Ｂに外周側から螺合したガイドネジ１４６の先端が嵌入している。ガイドネジ１４６は、周方向に複数配設されている。これにより、ボディフランジ１４１は、マウント装着部１１Ｂに対して、光軸ＯＡを中心として回転可能且つ光軸ＯＡ方向には移動不能として装着されている。また、嵌合円筒部１４１Ａの背面側端縁部には、ボディフランジ１４１の回転を規制するためのロック溝１４１Ｄが周方向に等間隔で４カ所（すなわち９０°間隔で）、形成されている。
【００５５】
ボディフランジ１４１は、ボディ側回転ロック機構１７０によって、マウント装着部１１Ｂに対して回転不能に固定されるようになっている。
ボディ側回転ロック機構１７０は、カメラボディ１１０における１８０°の位置に配設されている。ボディ側回転ロック機構１７０は、図１４に示すように、ロックレバー１７１と、このロックレバー１７１を移動付勢する回転ロックスプリング１７２とによって構成されている。
ロックレバー１７１は、一方の端に回転操作ボタン１７１Ｂを備え、他方の端にロックピン１７１Ｐを備えている。
【００５６】
ロックレバー１７１は、回転操作ボタン１７１Ｂをカメラ外装１２に形成された凹部１２Ｂに位置させて、Ｚ軸方向に所定量移動可能に設けられている。ロックピン１７１Ｐは、マウント装着部１１Ｂをその背面側から前面側に向かって貫通し、ボディフランジ１４１における嵌合円筒部１４１Ａの配設領域内に突出している。
【００５７】
回転ロックスプリング１７２は、ロックレバー１７１を、前面側（Ｚ軸＋方向）に向けて付勢している。
そして、ロックレバー１７１が自由状態では、ロックピン１７１Ｐがボディフランジ１４１のロック溝１４１Ｄに嵌り込むようになっている。
【００５８】
上記のように構成されたボディ側回転ロック機構１７０は、ロックレバー１７１のロックピン１７１Ｐがボディフランジ１４１のロック溝１４１Ｄに嵌り込むことで、ボディフランジ１４１をマウント装着部１１Ｂ（すなわちカメラボディ１０）に対して回転不能に固定する。ボディフランジ１４１のロック溝１４１Ｄは、前述したように９０°間隔で４カ所形成されており、従って、ボディフランジ１４１は、回転角度９０°毎に、マウント装着部１１Ｂに対して固定され得るようになっている。
【００５９】
なお、前述したように、ボディフランジ１４１の通常位置は、ボディフランジ１４１のボディ側フランジ面４１Ｆに設けられたマウントロック孔１４１Ｂが３００°に位置する状態である。従って、４カ所のロック溝１４１Ｄは、マウントロック孔１４１Ｂが３００°に位置する状態で、その内の一カ所がボディ側回転ロック機構１７０と対応するように設定されているものである。
【００６０】
ボディフランジ１４１の固定は、回転操作ボタン１７１Ｂを回転ロックスプリング１７２の付勢力に抗して押圧操作することで、ロックピン１７１Ｐがボディフランジ１４１のロック溝１４１Ｄから抜けでて解除（解除操作）される。これにより、ボディフランジ１４１はマウント装着部１１Ｂ（すなわちカメラボディ１０）に対して回転可能となる。
【００６１】
光通信受光部１４８は、図１３に示すように、リング状導光体１４８Ａと、受光部１４８Ｂとによって構成されている。
リング状導光体１４８Ａは、透光素材によってリング状に形成され、カメラ構造体１１のマウント装着部１１Ｂに装着されたボディフランジ１４１の内周側に配設されている。リング状導光体１４８Ａにおける２７０°の位置の背面側には、出射部１４８Ｃが突設されている。このリング状導光体１４８Ａは、前面側の任意の位置から入射された信号光が、当該リング状導光体１４８Ａの内部を巡って出射部１４８Ｃから出射するようになっているものである。
【００６２】
受光部１４８Ｂは、光電受光素子により構成され、リング状導光体１４８Ａの背面側の、出射部１４８Ｃと対応する位置に配設されている。そして、受光部１４８Ｂは、出射部１４８Ｃからの出射する信号光を受光して電気信号に変換する。
このように構成された光通信受光部１４８は、レンズ鏡筒１２０から当該レンズ鏡筒１２０の固有情報およびフィードバック制御情報をカメラボディ１１０に伝達するものである。
【００６３】
電源端子１４９は、金属等導電性部材によってボディフランジ１４１のボディ側フランジ面４１Ｆと略対応する円環状に形成された端子で、マウント装着部１１Ｂの前面に配設されている。すなわち、電源端子１４９は、マウント装着部１１Ｂとボディフランジ１４１との間に位置している。この電源端子１４９は、カメラボディ１１０の電源と接続されており、後述するレンズ側マウントロック機構１６０におけるマウントロックピン１６１Ｐの先端に突出する端子１６１Ｔが接触し、レンズ鏡筒２０に電力を供給するものである。
【００６４】
つぎに、レンズ鏡筒１２０に設けられたレンズマウント１５０について説明する。レンズマウント１５０の形状及び構成は、レンズ側爪リング５２がレンズフランジ５１に対して相対回転不能である点と、レンズ側マウントロック機構１６０および発光部１５７を備える点が、前述した第１実施形態におけるレンズマウント５０と異なる。このため、第１実施形態と共通の構成部材に付いては同符号を付して説明は省略する。
【００６５】
レンズマウント１５０は、レンズフランジ５１と、レンズ側爪リング５２と、押さえスプリング５６、レンズ側マウントロック機構１６０および発光部１５７等により構成されている。
【００６６】
レンズ側爪リング５２は、レンズフランジ５１に対して光軸ＯＡ方向にのみ相対移動可能であって回転は不能に構成されている。これにより、押さえスプリング５６の付勢力で前面側に付勢されており、この押さえスプリング５６の付勢力に抗することで、光軸ＯＡ方向背面側にのみ移動し得るようになっている。
【００６７】
レンズ側マウントロック機構１６０は、レンズ鏡筒２０における２７０°の位置に配設されている。マウントロック機構１６０は、マウントロックレバー１６１と、このマウントロックレバー１６１を移動付勢するマウントロックスプリング１６２とによって構成されている。なお、レンズ鏡筒２０における２７０°の位置に配設されたレンズ側マウントロック機構１６０は、正確には、カメラ１０１の光軸ＯＡ位置における横（水平）断面図である図９には表れないはずであるが、便宜適に本図上に示したものである。
【００６８】
マウントロックレバー１６１は、一方の端にマウント解除操作ボタン１６１Ｂを備えると共に、このマウント解除操作ボタン１６１Ｂを備える基部から直交する方向に所定長さに延設されたマウントロックピン１６１Ｐを備えている。
【００６９】
そして、マウントロックレバー１６１は、マウント解除操作ボタン１６１Ｂは鏡筒筐体２１の外周側に位置させて、基部で鏡筒筐体２１を径方向内外に貫通し、光軸ＯＡ方向に所定量移動可能に設けられている。マウントロックピン１６１Ｐは、鏡筒筐体２１の内周側に位置して光軸ＯＡと平行に背面側に延び、鏡筒筐体２１とレンズフランジ５１とを貫通している。
マウントロックスプリング１６２は、マウントロックレバー１６１を、背面側（Ｚ軸−方向）に向けて付勢している。
【００７０】
上記のように構成されたレンズ側マウントロック機構１６０は、自由状態では、マウントロックレバー１６１がマウントロックスプリング１６２の付勢力でその移動範囲内における背面側に位置する。これによってマウントロックピン１６１Ｐはレンズフランジ５１のレンズ側フランジ面５１Ｆから背面側に所定量突出する。この突出したマウントロックピン１６１Ｐが、ボディフランジ１４１におけるボディ側フランジ面４１Ｆに設けられたマウントロック孔１４１Ｂに嵌合し、これによって鏡筒筐体２１（レンズ鏡筒１２０）の回転方向における位置を規定する（すなわちマウントロック状態となる）ようになっている。
【００７１】
そして、マウントロック状態から、マウント解除操作ボタン１６１Ｂをマウントロックスプリング１６２の付勢力に抗して前面側（図９および図１５中矢印で示す方向）にスライド操作すると、マウントロックピン１６１Ｐをレンズ側フランジ面５１Ｆ内に引っ込む。これにより、マウントロックピン１６１Ｐがマウントロック孔１４１Ｂから抜け出て、マウントロック状態を解除（解除操作）することができるようになっている。
【００７２】
ここで、マウントロックレバー１６１のマウントロックピン１６１Ｐは、絶縁素材によって形成され、内部に端子１６１Ｔが配設されている。端子１６１Ｔは、先端がマウントロックピン１６１Ｐの先端から突出し、後端側はレンズ鏡筒２０が備える図示しない駆動装置および電子デバイスに接続されている。
【００７３】
そして、レンズ側マウントロック機構１６０におけるマウントロックピン１６１Ｐが、ボディフランジ１４１におけるマウントロック孔１４１Ｂに嵌合したマウントロック状態において、マウントロックピン１６１Ｐの先端に突出する端子１６１Ｔが、マウント装着部１１Ｂとボディフランジ１４１との間に配設された電源端子１４９に導通可能に接触するようになっている。これにより、カメラボディ１１０が備える電源から、電源端子１４９を介して電力が供給されるようになっているものである。
【００７４】
発光部１５７は、ＬＥＤ等の発光素子によって構成され、レンズ側爪リング５２の内周面に、背面側に向けて光を出射するように配設されている。その配設位置は、ボディマウント１４０とレンズマウント１５０とが係合した（カメラボディ１１０にレンズ鏡筒１２０が装着された）状態において、ボディマウント１４０が備える光通信受光部１４８のリング状導光体１４８Ａと対向するように設定されている。これにより、発光部１５７が出射した光が、リング状導光体１４８Ａに入射し、レンズ鏡筒１２０側からカメラボディ１１０側に光信号により当該レンズ鏡筒１２０の固有情報およびフィードバック制御情報をカメラボディ１１０に伝達するようになっている。  
【００７５】
上記のようなボディマウント１４０とレンズマウント１５０とによって構成されたマウント機構１３０は、下記のように作用する。
マウント機構１３０は、ボディ側回転ロック機構１７０によってカメラ構造体１１（カメラボディ１１０）に回転不能に固定されたボディフランジ１４１に、レンズマウント１５０が前述した第１実施例と同様に係合する。この係合状態において、レンズマウント１５０に設けられた押さえスプリング５６が、レンズ側フランジ面５１Ｆをボディ側フランジ面４１Ｆに押圧付勢して密着させる。これにより、カメラボディ１１０とレンズ鏡筒１２０とが、ガタ付き抑えて相対回転不能に結合される。
【００７６】
そして、マウント機構１３０では、ボディ側回転ロック機構１７０の回転操作ボタン１７１Ｂを、背面側（図９および図１４中矢印で示す方向）に押圧操作することで、レンズマウント１５０（レンズ鏡筒１２０）が係合した状態を保ったままで、ボディフランジ１４１がカメラ構造体１１（カメラボディ１１０）に対して回転可能となる。すなわち、ボディフランジ１４１と係合しているレンズマウント１５０（レンズ鏡筒１２０）が、カメラボディ１１０に対して回転可能となる。
【００７７】
ここで、レンズマウント１５０が、カメラ構造体１１に対して回転する際におけるカメラボディ１１０とレンズ鏡筒１２０との間の電源および情報伝達は、下記のような作用によって滞りなく行われる。
すなわち、電源の接続は、レンズ側マウントロック機構１６０における端子１６１Ｔが、ボディ側フランジ面４１Ｆと略対応する円環状の電源端子１４９と接触することで成されているため、ボディフランジ１４１の回転に拘わらず保たれる。
また、レンズ鏡筒１２０からカメラボディ１１０への情報伝達は、レンズ鏡筒１２０が備える発光部１５７が、ボディマウント１４０が備える光通信受光部１４８のリング状導光体１４８Ａに信号光を入射させることで成される。発光部１５７は、ボディフランジ１４１の回転に拘わらず常にリング状導光体１４８Ａと対向するため、ボディフランジ１４１の回転に拘わらず信号光を入射させることができる。
【００７８】
以上、本第２実施形態によると、前述した第１実施形態と同様、以下の効果を有する。
（１）カメラボディ１１０とレンズ鏡筒１２０とのガタ付き抑える押さえスプリング５６は、レンズマウント１５０に設けられているため、押さえスプリング５６の付勢力を、その設けられるレンズ鏡筒１２０の重量に応じたものとすることができる。
【００７９】
（２）レンズマウント１５０におけるレンズ側爪リング５２のレンズ側係合爪５３が、ボディマウント１４０におけるボディ側係合爪４２に対して直接当接して係合するため、係合精度と耐久性を高めることができると共に、操作感を向上できる。
（３）カメラボディ１１０の姿勢に拘わらず、レンズ鏡筒１２０の天地を実際の天地に一致させることができ、表示の視認性や操作性の低下を防ぐことができる。また、撮影画角が長方形のカメラボディ１１０の場合でも、縦横の構図変更を極めて簡単に行える。
【００８０】
（第３実施形態）
つぎに、図１６〜図２０に示す本発明の第２実施形態を説明する。
図１６は、本発明の第３実施形態であるカメラ２０１の光軸ＯＡ位置における縦（垂直）断面図である。図１７は、カメラ２０１の光軸ＯＡ位置における横（水平）断面図である。図１８は、図１６のＨ−Ｈ断面図である。図１９は図１６のＪ部拡大図である。
なお、カメラ２０１の基本構成は前述の第１実施例の構成と同様であり、同一の構成要素には同符号を付して説明は省略する。
【００８１】
カメラ２０１は、カメラボディ２１０と、該カメラボディ２１０にマウント機構２３０を介して着脱可能なレンズ鏡筒２２０と、から構成されている。
マウント機構２３０は、カメラボディ２１０に設けられたボディマウント２４０と、レンズ鏡筒２２０に設けられたレンズマウント２５０と、によって構成されている。
本第３実施形態では、レンズマウント２５０が、レンズ鏡筒２２０に対して回転可能に設けられている。そして、このレンズマウント２５０のレンズ鏡筒２２０に対する回転によって、レンズ鏡筒２２０がカメラボディ２１０に対して回転可能となっている。
【００８２】
ボディマウント２４０は、その構成が、前述した第１実施形態におけるボディマウント４０（図１等参照）と全く同一であり、各構成要素には同符号を付して説明は省略する。
【００８３】
レンズ鏡筒２２０に設けられたレンズマウント２５０は、レンズフランジ２５１と、レンズ側爪リング５２と、押さえスプリング５６、回転ロック機構２７０等により構成されている。このレンズマウント２５０の形状及び構成は、レンズ側爪リング５２がレンズフランジ２５１に対して相対回転不能である点と、レンズフランジ２５１がレンズ鏡筒２２０の鏡筒筐体２１に対して相対回転可能である点、および、回転ロック機構２７０の構成が、前述した第１実施形態におけるレンズマウント５０と異なる。以下、これらの相違箇所について説明する。
【００８４】
レンズフランジ２５１は、概略形状がボディフランジ４１と対応する径の円環状で、中央には所定外径の嵌合環部２５１Ａが背面側に所定高さで突出形成されている。嵌合環部２５１Ａの内周側には、さらに中央環部２５１Ｂが突設されている。一方、レンズフランジ２５１の前面側には、回転嵌合環部２５１Ｃが、所定高さに突設されている。
【００８５】
鏡筒筐体２１の背面側の端部には、Ｚ軸方向に所定厚さを有する装着部２１Ｃが形成されており、レンズフランジ２５１はその回転嵌合環部２５１Ｃがこの装着部に摺動回転可能に嵌合している。回転嵌合環部２５１Ｃの先端部は、鏡筒筐体２１の装着部より前面側に突出し、この突出部の外周に嵌め込まれた止め輪２５３によって、装着部２１Ｃに光軸ＯＡ方向には移動不能且つ光軸ＯＡを中心として回転可能に装着されている。
【００８６】
また、レンズフランジ２５１の、装着部２１Ｃと密着する前面には、回転ロック孔２５４が形成されている。
回転ロック孔２５４は、周方向に等間隔で４カ所配設されている。これらの回転ロック孔２５４には、後述する回転ロック機構２７０の回転ロックピン２７１Ｐが嵌合するようになっている。
【００８７】
回転ロック機構２７０は、レンズ鏡筒２２０における９０°の位置に配設されている。回転ロック機構２７０は、図１９に示すように、回転ロックレバー２７１と、この回転ロックレバー２７１を移動付勢する回転ロックスプリング２７２とによって構成されている。
回転ロックレバー２７１は、Ｌ字状で、一方の端に回転操作ボタン２７１Ｂを備え、他方の端に回転ロックピン２７１Ｐを備えている。回転ロックレバー２７１は、鏡筒筐体２１に、その装着部２１ＣをＺ軸方向（光軸ＯＡと並行方向）に貫通し、Ｚ軸方向に所定量移動可能として設けられている。
【００８８】
回転ロックスプリング２７２は、回転ロックレバー２７１を背面側に向けて付勢している。これにより、回転ロックピン２７１Ｐは、装着部２１Ｃから背面側に突出し、レンズフランジ２５１の回転ロック孔２５４に嵌合するようになっている。
【００８９】
上記のように構成された回転ロック機構２７０は、回転ロックレバー２７１の回転ロックピン２７１Ｐが、レンズフランジ２５１の回転ロック孔２５４に嵌合することで、鏡筒筐体２１に対してレンズフランジ２５１を相対回転不能とする。レンズフランジ２５１の回転ロック孔２５４は、前述したように周方向に９０°間隔で４カ所配設されており、従って、レンズフランジ２５１は、回転ロック機構７０によって回転角度９０°毎に鏡筒筐体２１に対して固定され得るようになっている。
鏡筒筐体２１に対するレンズフランジ２５１の固定は、回転ロック機構２７０の回転操作ボタン７１Ｂを前面側（図１６および図１９中矢印で示す方向）にスライド操作することによって解除（解除操作）され、レンズフランジ２５１は鏡筒筐体２１に対して回転自在となる。
【００９０】
レンズ側爪リング５２は、レンズフランジ２５１に対して光軸ＯＡ方向にのみ相対移動可能であって回転は不能に構成されている。これにより、押さえスプリング５６の付勢力で前面側に付勢されており、この押さえスプリング５６の付勢力に抗することで、光軸ＯＡ方向背面側にのみ移動し得るようになっている。
【００９１】
上記のように構成されたマウント機構２３０は、カメラ構造体１１（カメラボディ２１０）に固定されたボディフランジ４１に、鏡筒筐体２１（レンズ鏡筒２２０）に設けられたレンズマウント２５０が、前述した第１実施例と同様に係合する。この係合状態において、レンズマウント２５０に設けられた押さえスプリング２５６が、レンズ側フランジ面５１Ｆをボディ側フランジ面４１Ｆに押圧付勢して密着させる。これにより、カメラボディ１１０とレンズ鏡筒１２０とが、ガタ付き抑えて相対回転不能に結合される。
【００９２】
そして、マウント機構２３０では、回転ロック機構２７０の回転操作ボタン２７１Ｂを押圧操作することで、レンズマウント２５０がボディフランジ４１（カメラボディ１１０）に係合した状態を保ったままで、鏡筒筐体２１（レンズ鏡筒２２０）がレンズフランジ２５１に対して回転可能となる。すなわち、レンズフランジ２５１，レンズ側爪リング５２および押さえスプリング５６を除くレンズ鏡筒２２０を、カメラボディ１１０に対して回転させることができる。
【００９３】
以上、本第３実施形態によると、前述した第１および第２実施形態と同様、以下の効果を有する。
（１）カメラボディ２１０とレンズ鏡筒２２０とのガタ付き抑える押さえスプリング５６は、レンズマウント２５０に設けられているため、押さえスプリング５６の付勢力を、その設けられるレンズ鏡筒２２０の重量に応じたものとすることができる。
【００９４】
（２）レンズマウント２５０におけるレンズ側爪リング５２のレンズ側係合爪５３が、ボディマウント２４０におけるボディ側係合爪４２に対して直接当接して係合するため、係合精度と耐久性を高めることができると共に、操作感を向上できる。
（３）カメラボディ２１０の姿勢に拘わらず、レンズ鏡筒２２０の天地を実際の天地に一致させることができ、表示の視認性や操作性の低下を防ぐことができる。また、撮影画角が長方形のカメラボディ２１０の場合でも、縦横の構図変更を極めて簡単に行える。
【００９５】
（変形形態）
以上、説明した実施形態に限定されることなく、以下に示すような種々の変形や変更が可能であり、それらも本発明の範囲内である。
（１）上記実施形態は、それぞれ、カメラボディ１０，１１０，２１０に対してレンズ鏡筒２０，１２０，２２０が着脱可能に装着されるものである。しかし、本発明にかかる光学ユニットはレンズ鏡筒に限るものではなく、他の光学部品等、例えば、テレコンバーターや接写リング等であっても良いものである。
【００９６】
（２）上記実施形態では、それぞれ、カメラボディ１０，１１０，２１０に対してレンズ鏡筒２０，１２０，２２０が相対回転して９０°毎固定されるように構成されている。しかし、カメラボディに対するレンズ鏡筒の固定位置（角度）はこれに限らず適宜設定可能なものである。
なお、実施形態及び変形形態は、適宜組み合わせて用いることもできるが、詳細な説明は省略する。また、本発明は以上説明した実施形態によって限定されることはない。
【符号の説明】
【００９７】
１，１０１，２０１：カメラ、１０，１１０：カメラボディ、２０，１２０，２２０：レンズ鏡筒、３０，１３０，２３０：マウント機構、４０，１４０：ボディマウント、４１Ｆ：ボディ側フランジ面、４２：ボディ側係合爪、５０，１５０，２５０：レンズマウント、５１，２５１：レンズフランジ、５１Ｆ：レンズ側フランジ面、５２：レンズ側爪リング、５３：レンズ側係合爪、５６：押さえスプリング、５７Ｂ：接点端子、７０，２７０：回転ロック機構、１７０：ボディ側回転ロック機構、ＯＡ：光軸
【図１】
2010271418.tif 000003
【図２】
2010271418.tif 000004
【図３】
2010271418.tif 000005
【図４】
2010271418.tif 000006
【図５】
2010271418.tif 000007
【図６】
2010271418.tif 000008
【図７】
2010271418.tif 000009
【図８】
2010271418.tif 000010
【図９】
2010271418.tif 000011
【図１０】
2010271418.tif 000012
【図１１】
2010271418.tif 000013
【図１２】
2010271418.tif 000014
【図１３】
2010271418.tif 000015
【図１４】
2010271418.tif 000016
【図１５】
2010271418.tif 000017
【図１６】
2010271418.tif 000018
【図１７】
2010271418.tif 000019
【図１８】
2010271418.tif 000020
【図１９】
2010271418.tif 000021